(57)【要約】【課題】  本発明は、モータハウジングを把持した際の滑り止めに関する配慮を向上させることで、操作性が良い電動工具を低コストで提供することである。【解決手段】  モータハウジング１の側面に、モータハウジング１と一体的に形成される凹凸ライン６を設けた。【選択図】  図１
2005153049.tif 000002
【特許請求の範囲】
【請求項１】
モータと、モータを収容するモータハウジングと、モータハウジングと連結し、減速機構を収容したギヤケーシングとギヤケーシングに回転可能に保持され、減速機構を介して前記モータと連結した出力軸と、前記モータの駆動を制御するスイッチ部を有し、出力軸の軸心方向に対してほぼＬ字型に形成するようモータハウジングと連結したハンドル部を備えた電動工具であって、前記モータハウジング側面にモータハウジングと一体的に形成され、出力軸に交差する方向に延びる凹凸ラインを設けたことを特徴とする電動工具。
【請求項２】
前記凹凸ラインを左右に形成したことを特徴とする請求項１記載の電動工具。
【請求項３】
前記凹凸ラインが複数個設けられていることを特徴とする請求項１あるいは請求項２記載の電動工具。
【発明の詳細な説明】
【技術分野】
【０００１】
本発明は、出力軸の軸心方向に対してほぼＬ字型に形成するようモータなどを収容するモータハウジングと連結したハンドル部とを備えた電動工具に関するものである。
【背景技術】
【０００２】
従来の電動工具の一例である特許文献１に開示された電動工具を図８〜図１３を用いて説明する。
【０００３】
従来の電動工具は、図示しないモータと、モータを収容するモータハウジング１と、モータハウジング１と連結し、減速機構を収容したギヤケーシング２とギヤケーシングに回転可能に保持され、減速機構を介して前記モータと連結した出力軸４と、前記モータの駆動を制御するスイッチ部９を有し、出力軸４の軸心方向に対してほぼＬ字型に形成するようモータハウジング１と連結したハンドル部３を備えた構成をしている。なお、出力軸４の先端には先端工具を保持する工具保持部７が設けられている。
【０００４】
電動工具本体の保持を行いやすいようにするために、モータハウジング１の側面の第一指及び第二指を案内するくぼみ部８に摩擦係数の大きいソフト材を貼りつけたカバー１０を取り付けていた。
【０００５】
【特許文献１】特開２００１−１９８８５６号公報
【発明の開示】
【発明が解決しようとする課題】
【０００６】
電動工具本体を保持する際に滑りにくくする目的で表面がモータハウジング１及びハンドル部３の摩擦係数よりも大きなカバー１０を、図８〜図１２に示すように電動工具本体を保持する際に第一指及び第二指が位置するモータハウジング１の側面の個所を覆うように設けた構成のものがあるが、案内するくぼみ部８に前記カバー１０を取り付けると第一指と第二指で握る際の握り幅が大きくなり手指が疲れやすかった。また、前記カバー１０のコストが追加コストとして掛かってしまっていた。
【０００７】
本発明の目的は、上記した保持方法においても滑り止めに対する配慮を十分にし、カバー１０などの別部材を使用せず、低コストで操作性の良い電動工具を提供することである。
【課題を解決するための手段】
【０００８】
上記目的は、モータハウジングの側面に、モータハウジングと一体的に形成される出力軸に交差する方向に延びる凹凸ラインを設けることにより達成される。
【発明の効果】
【０００９】
本発明によれば、モータハウジングの側面及び下方面に、モータハウジングと一体的に形成される出力軸に交差する方向に延びる凹凸ラインを設けたことにより、本体を下向きに保持した際に手指の滑りを抑えることができ、操作性の良い電動工具を提供することができるようになる。また、凹凸ラインがモータハウジングと一体的に形成されているため、把持部の幅が大きくならずに操作性が良く、疲れにくく、ソフト材のカバーなどの別部材を用いないために低コストで電動工具を提供することができるようになる。
【発明を実施するための最良の形態】
【００１０】
本発明になる電動工具の一実施形態を図１〜図７を用いて説明する。なお、図１は本発明になる電動工具の一実施形態を示す側面図、図２は本発明になる電動工具の一実施形態を示す他の側面図、図３は図２のＢ方向矢視図、図４は図１のＡ−Ａ線断面図、図５は本発明になる電動工具の一作業状態を示す側面図、図６は本発明になる電動工具の一作業状態を示す他の側面図である。また、図７は本発明になる電動工具の別実施形態を示す側面図である。
【００１１】
図に示す電動工具は、モータと、モータを収容するモータハウジング１と、モータハウジング１と連結し、減速機構を収容したギヤケーシング２とギヤケーシング２に回転可能に保持され、減速機構を介して前記モータと連結した出力軸４と、前記モータの駆動を制御するスイッチ部９を有し、出力軸４の軸心方向に対してほぼL字型に形成するようモータハウジング１と連結したハンドル部３と、出力軸４の先端に設けられ先端工具を保持する工具保持部７とを備えた構成をしている。また、モータハウジング１の側面に、モータハウジング１と一体的に形成される出力軸４に対して鈍角に交差する方向に延びる凹凸ライン６を設けている。
【００１２】
凹凸ライン６は、モータハウジング１の両側面及び下方面にまでにも配されている。
【００１３】
電動工具に上記したような凹凸ライン６を設けたことにより、図５及び図６に示すようにハンドル部３とモータハウジング１の側面部を把持し、特に下方作業時に出力軸４の軸心線５付近であるモータハウジング１の反出力軸４側端部において電動工具本体に推力を加えることができるように電動工具本体を保持した際に、モータハウジング１の両側面に位置する凹凸ライン６上に第一指及び第二指が位置することになり、第一指及び第二指が滑りにくくなる。また、モータハウジング１の下方面にまでにも凹凸ライン６が配されているため、第三指及び第四指にも引っ掛かりができ、滑りにくく疲れにくくなる。これにより特に下方作業時において、第一指及び第二指とによりモータハウジング１の側面部を狭持し電動工具本体を保持する際には第一指及び第二指に加える力を抑えることができ、作業性の向上を図ることができるようになる。
【図面の簡単な説明】
【００１４】
【図１】本発明になる電動工具の一実施形態を示す側面図。
【図２】本発明になる電動工具の一実施形態を示す他の側面図。
【図３】図２のＢ方向矢視図。
【図４】図１のＡ−Ａ線断面図。
【図５】本発明になる電動工具の一作業状態を示す側面図。
【図６】本発明になる電動工具の一作業状態を示す他の側面図。
【図７】本発明になる電動工具の別実施形態を示す側面図。
【図８】従来の電動工具の一例を示す側面図。
【図９】図８に示す電動工具の他の側面図。
【図１０】図９のＣ方向矢視図。
【図１１】図９に示す電動工具のカバー。
【図１２】図９に示す電動工具の一作業状態を示す側面図。
【図１３】図９に示す電動工具の一作業状態を示す他の側面図。
【符号の説明】
【００１５】
１はモータハウジング、２はギヤケーシング、３はハンドル部、４は出力軸、５は軸心線、６は凹凸ライン、７は工具保持部、８はくぼみ、９はスイッチ部、１０はカバーである。
【図１】
2005153049.tif 000003
【図２】
2005153049.tif 000004
【図３】
2005153049.tif 000005
【図４】
2005153049.tif 000006
【図５】
2005153049.tif 000007
【図６】
2005153049.tif 000008
【図７】
2005153049.tif 000009
【図８】
2005153049.tif 000010
【図９】
2005153049.tif 000011
【図１０】
2005153049.tif 000012
【図１１】
2005153049.tif 000013
【図１２】
2005153049.tif 000014
【図１３】
2005153049.tif 000015